【事件の表示】
　特許第２９３５９８０号「建築現場等の渡りステージ」の請求項１ないし２に係る特許に対する特許異議の申立てについて、次のとおり決定する。
【結　論】
　特許第２９３５９８０号の請求項１ないし２に係る特許を維持する。
【理　由】
１．本件発明
　特許第２９３５９８０号に係る出願は、平成８年１２月２４日の出願であって、平成１１年６月４日に特許の設定の登録がなされ、請求項１および２に係る発明（以下、「本件発明１」および「本件発明２」という。）は、その特許請求の範囲の請求項１および２に記載された事項により特定されるとおりのものである。
　
２．申立ての理由の概要
　申立人森本邦章は、本件発明１および２は、甲第１号証（実願平４−２７４４８号（実開平５−８５９３４号）のＣＤ−ＲＯＭ）、甲第２号証（実公昭６３−５０３４２号公報）に記載された発明に甲第３号証（特開平６−２７２４６６号公報）、甲第４号証（特開平６−３２３００３号公報）、甲第５号証（実開昭５２−８３５１７号公報）、甲第６号証（特開平７−２３３６８８号公報）及び甲第７号証（実開平６−６２０９２号公報）に記載された発明を組み合わせることによって、当業者が容易に発明をすることができたものであるから、特許法第２９条第２項の規定に違反しており、さらに、本件明細書の発明の詳細な説明が、当業者が本件発明を実施できる程度に明確かつ十分に明記されておらず、特許法第３６条第４項の規定する要件を具備していないから、特許を受けることができないものであり、本件の特許を取り消すべきであると主張している。
　
３．明細書記載不備について
１）申立人は、「高低の差が大きい障害物では一の梯子では実施不可能なことで、複数の長さの種類の梯子が一組であることによって実現可能なことが明細書に記載され、一の梯子で可能な実施例について全く記載していない。そのため、発明の特徴事項について実施不可能なものが包含されており、当業者が実施できる程度に明確かつ十分に明記しているものとはいえない。」と述べている。しかしながら、本件明細書中に複数の長さの種類の梯子が記載されているが、これらが一組であることによって実現可能という記載はなく、例えば、図１に示された実施例は、１番長い梯子１ａのみを用いており、一の梯子で可能な実施例に相当すると解される。また、本件発明において、障害物の大きさに対する限定はなく、障害物の大きさに応じて最適な梯子を選択することは適宜行うことであり、発明の特徴事項について実施不可能なものが包含されているとはいえず、本件明細書において、本件発明を当業者が実施できる程度に明確かつ十分に明記しているものといえるから、本件明細書に記載不備はない。
２）申立人は、「請求項１、２には、・・・各々の踏み板は両側端部の夫々で複数の桁材間に回転自在に架け渡されるとともに、・・・が特定事項として記載されている。しかし、踏み板を複数の桁材間に回動自在の点について、上下２組の桁材のみについての実施例（「実施側」は「実施例」の誤記と認められるので読み替えた）が明細書中に記載されているだけで、３組、４組・・・を配設して踏み板を回動する機構およびその意義について記載していなく、当業者が実施できる程度に明確かつ十分に明記しているものとはいえない。」と述べている。しかしながら、本件発明の梯子は、請求の範囲に記載されているように、「上下２本の桁材からなり、・・・１の桁を２つ互いに平行に設け、平行な桁の間に踏み板を複数平行に架設し、各々の踏み板は両側端部の夫々で複数の桁材間に回転自在に架け渡される」ものであるから、踏み板の両側端部の夫々が回転自在に架け渡されるのは、当然上下２本の桁材間であり、「３組、４組・・・」ということはありえない。そして、２本は複数であるから、上下２本の桁材のみについての実施例が記載されている本件明細書は、本件発明を当業者が実施できる程度に明確かつ十分に明記しているものといえるから、本件明細書に記載不備はない。
　
４．特許法第２９条第２項違反について
１）甲各号証記載の発明
　甲第１号証には、その実用新案登録請求の範囲、段落【０００１】、【００１９】、【００２０】及び図１，６，７の記載を参照すると、「踊り場の高さを調整するねじ式ジャッキ機構を介して支柱の下端に取付けられた設置板と、脚柱の支柱と、支柱上端の手摺り付き床面からなる中央に位置する踊り場と、踊り場の床面の枠材の端面に当接させ、側板の外側面と枠材の外側面とに渡るカセットプレートをボルト止めして固定される、手摺りと踏板付き側板からなる階段と、階段の下部下側に取付けられ脚柱間とを繋ぐ継ぎ材とを具備する、２階建て仮設ハウスの２階出入り口の外設用階段付き踊り場、あるいは展示場の踊り場等に好適な仮設用階段付き踊り場」が記載されている。
　甲第２号証には、第２頁第３欄最下行から同第４欄第４２行及び第１図の記載を参照すると、「一対の下部パイプの上下を水平な連結部材で連結し、対向配置して筋違で接合された下枠とこの下枠にスライド自在に連結された上枠と、上枠上に配置された足場板材と、上枠に回動自在に装着されたステップ付き第１の梯子からなり、足場板材の両側には手摺が配され、第１の梯子の下端は下枠に形成された支柱及びステップからなる第２の梯子のステップに係合させられている足場構成装置」が記載されている。
　甲第３号証には、段落【００１４】、【００１９】、【００２０】及び図１、６，８の記載を参照すると、「各々の踏み板の両側端部の下側に側枠を、上側に連動リンクを回動自在に連結し、側枠と連動リンク間には踏み板が側枠となす鋭角の向きと逆向きの鋭角となるように連結部材が設けられ、手摺り支柱の下部を連動リンクに固着した軸受部材に枢着し、かつ、側枠の上端には建物側に引っ掛けるフック部材を取付けた掛止角度自在な梯子」が記載されている。
　甲第４号証には、その特許請求の範囲及び図１，２の記載を参照すると、「平行な２本の傾斜支柱の間に、複数の段板を一定間隔に配置して、各段板の両端をそれぞれ傾斜支柱に軸支した角度自在な仮設階段」が記載されている。
　甲第５号証には、その実用新案登録請求の範囲及び第２，７図の記載を参照すると、「複数枚の踏板の両側中間部を断面コ字形状の柱状体でコ字の開口部を外側に向けた主桁に揺動可能に支持し、踏板の端部を副桁に枢着し、主桁の上端部に鉤板を突設した可動足場」が記載されている。
　甲第６号証には、その特許請求の範囲、第２頁第２欄第２４、３０，３１行及び図１，２の記載を参照すると、「逆Ｔ字型の複数の踏み板の頭部と脚部を平行リンクで連結し、頭部を連結するリンクは、先端に引っ掛けるアール付きの細長い平板からなり、これには、上部を手摺り管で連結した柵細板の下部を回転ネジで枢着している自動水平ステップ昇降タラップ」が記載されている。
　甲第７号証には、その実用新案登録請求の範囲及び図１，５，１２の記載を参照すると、「断面コ字形状の柱状体でコ字の開口部を外側に向けた桁に踏み板両側端部が固定され、桁に固設されたソケットに手摺体が着脱可能に保持され、桁の上端部には係止体が固着されている仮設階段」が記載されている。
　
２）対比・判断
　そこで、本件発明１と甲第１号証に記載された発明とを対比すると、甲第１号証に記載された発明は、「２階建て仮設ハウスの２階出入り口の外設用階段付き踊り場、あるいは展示場の踊り場等に好適な仮設用階段付き踊り場」であり、「踊り場の高さを調整するねじ式ジャッキ機構」はあるが、階段は側板に踏板が回動自在ではない上、階段の下部下側に取付けられた継ぎ材で脚柱間を繋ぎ、階段と踊り場は固定されることから、これは、踊り場の高さを２階出入り口に微調整する機構にすぎず、障害物を乗り越すため障害物の高さに合わせるような「高さ調整自在」な機構ではない。したがって、甲第１号証には、本件発明１の前提構成である、「掛止角度自在な梯子と、高さ調整自在な中央渡り台とからなり、中央渡り台の高さに合わせて掛止角度自在な梯子を角度調整して掛止する建築現場等の渡りステージ」さえ記載されていないことになる。
　次ぎに、本件発明１と甲第２号証に記載された発明とを対比すると、甲第２号証に記載された発明である足場構成装置は、本件発明１の「中央渡り台」に対応する「足場板材」は高さ調整自在であるが、「中央渡り台の高さに合わせて掛止角度自在な梯子を角度調整して掛止する」ものではなく、かつ、下枠には水平な連結部材や筋違が設けられていて、障害物を乗り越すため障害物の厚さ（幅）に合わせることができる建築現場等の渡りステージの機能も有していない。
　更に、甲第３乃至７号証のいずれにも、本件発明１の前提構成である、「掛止角度自在な梯子と、高さ調整自在な中央渡り台とからなり、中央渡り台の高さに合わせて掛止角度自在な梯子を角度調整して掛止する建築現場等の渡りステージ」に関する記載はないから、本件発明１は、甲第１乃至７号証に記載された発明を相互に組み合わせたとしても、当業者が容易に推考しうるものではない。
　また、本件発明２は、本件発明１を技術的に限定したものであるから、本件発明２についても、本件発明１で検討したのと同様のことがいえる。
　以上のとおり、本件発明１及び２は、上記甲各号証に記載された発明から当業者が容易に発明をすることができたものではない。
　
５．むすび
　したがって、特許異議申立の理由及び証拠によっては、本件発明１および２についての特許を取り消すことはできない。
　また、他に本件発明１および２についての特許を取り消すべき理由を発見しない。
　よって、結論のとおり決定する。
【異議決定日】
平成１２年５月２日（２０００．５．２）